(57)【要約】      （修正有）【課題】写真や映像などの撮影で一般的に用いられる反射板である発泡素材の板状ボードを、圧着力が調整でき、かつ容易に抜き差しできるボード支持具を提供する。【解決手段】略Ｔ字状支持基台と２枚の略方形板材を備え、略Ｔ字状支持基台は、横棒と縦棒から構成され、横棒に縦棒を接合し、横棒長手側面に２枚の略方形板材の端部を夫々連結させ、２枚の略方形板材で挟まれる空間をボード支持具の挟持部とする。一方の略方形板材は支持基台に固定され、もう一方は可動であり、この可動する板材はナットを用い固定することができる。【選択図】図１
0003181153.tif 000002
【実用新案登録請求の範囲】
【請求項１】
略T字状の支持基台と略方形角の板材からなり、支持基台横棒長手側面に板材端部を夫々連結させ、支持基台横棒と略方形板材とで挟まれる空間を挟持部とするボード支持具。
【請求項２】
一方の略方形板材は支持基台に固定され、もう一方は可動可能で、この可動する板材はナットを用い固定することができる請求項１記載のボード支持具。
【請求項３】
上記支持基台と板材で挟まれる空間が、挟持部基端部から先端に向かいせまくなっている請求項１記載のボード支持具。
【請求項４】
上記板材の途中に屈曲部を有し、挟持部先端が上記挟持部基端部よりも夫々外側に位置する請求項１記載のボード支持具。
【請求項５】
T字状支持基台縦棒途中に底付き防止ストッパーを有する請求項１記載のボード支持具。
【考案の詳細な説明】
【技術分野】
【０００１】
本考案は、圧着力が調節でき容易に抜き差しできるボード支持具に関するものである。
【背景技術】
【０００２】
例えば、写真や映像などの撮影では、被写体の陰影を調整し最適な写りとなるようスチエレンボードや発泡スチロール板などの発泡素材で板状のものを反射板として使用する。一般的に使用されているサイズは、厚さ５ミリから３０ミリ程度で、３×６（尺）、A０、B０などの大きなものから、それらを任意の大きさに欠成させた小さいものまで撮影状況に合わせ加工し使用している。
【０００３】
発泡ボードは、反射光量を確認しながら最適な角度で三脚などの止め物や補助者により保持されるが、三脚などの止め物を用いる場合は三脚と発泡ボードとの間に仲介するものが必要となる。
【０００４】
従来のものは熊手のような形をしており、T字状の支持基台に５本の爪を有している。その爪はT字状支持基台横棒長手側面に3本、２本と対向し、かつ夫々がお辞儀をしても接触しないよう互い違いに接合され、このT字状支持基台と夫々の爪で囲まれた空間が発泡ボードの挟持部となる。
【０００５】
この挟持部を側面からみると夫々の爪は挟持部先端側を頂角とする三角形を描くよう内側に均等に屈曲し、爪先端は発泡ボードの挿入をスムーズにするため外側に若干折り返されている。
【考案の概要】
【考案が解決しようとする課題】
【０００６】
従来の熊手状のものは、一本一本の爪が独立的に発泡ボードを押さえつけ、その力は爪の剛性に依存し調節はできず、ある程度重量のある発泡ボードでは爪との間に滑りが生じうまく保持することができない。そのため、挟んだ状態で爪の上から粘着テープを貼り発泡ボードと一体化させ滑らないよう補強している。しかし、発泡ボードの素材が脆弱であることことや、一般的に多くの反射板は、裏面に黒やグレー、金や銀などの色紙やアルミホイールなどを貼り２面性を持たせているため、使用後に補強用粘着テープを外す行為が、せっかく貼った貼り物や発泡素材を剥がす危険性があり、反射板としての形状や機能を損なう恐れがある。また経年変化により、本来「一」の字状であるべき挿入口が波打ち、その波線状の挿入口に板状の発泡ボードを無理矢理押し込み発泡ボードが割れてしまうことも少なくない。
【課題を解決するための手段】
【０００７】
略T字状の支持基台と略方形角の板材からなり、支持基台横棒長手側面に板材端部を夫々連結させ、支持基台横棒と略方形板材とで挟まれる空間が挟持部となり、一方の略方形板材は支持基台に固定され、もう一方は可動可能とし、この可動する板材はナットを用い固定することができ、この挟持部は、挟持部基端部から先端に向かい徐々にせまくなり、上記板材の途中に屈曲部を有し、挟持部先端が上記基端部両辺よりも外側に位置し、T字状支持基台縦棒途中に底付き防止ストッパーを有するという特徴を持つ。
【考案の効果】
【０００８】
本考案はこのような課題に着目し、圧着する力が調節でき容易に抜き差しできるボード支持具を提供する。
【図面の簡単な説明】
【０００９】
【図１】正面分離斜視図
【図２】側面図
【図３】平面図
【図４】底面図
【図５】支持基台正面斜視図
【図６】側面斜視図及び部分拡大図
【図７】弾性エネルギー概略図
【図８】使用模様図
【考案を実施するための形態】
【００１０】
以下図面に基づき本考案の実施形態を説明する。
図１は正面分離斜視図を示し、該ボード支持具は、主に略T字状の支持基台１に略方形板材２a、２bが取り付けられたものである。両部材とも耐久性と剛性に優れた金属性が望ましい。
【００１１】
略方形板材は、上下両端に緩やかな円弧を有し、下部にボルト３、４、５、６を通す穴７、８、９、１０を有し、中央のやや大きな欠成部１１は、支持基台縦棒、横棒を繋止するボルト１４の突き出しを回避するためで、図２挟持部基端部c１は「く」、c２は逆「く」の字に屈曲させるが、その幅は支持基台横棒高さdで、かつ側面中心線gを超えないよう適度にする。これにより対向する２枚の略方形板材で挟まれた空間が先端に向け狭くなる。また、挟持部先端が挟持部基端部よりも外側fとなるよう途中から緩やかに外側に折り返えし、図３平面図斜線部で示す挿入誘導部jを形成させ発泡ボードの挿入をスムーズにさせる。なお、上記ボルトを貫通させる穴７、８、９、１０、回避させる穴１１の形状はデザイン上のものである。
【００１２】
T字状支持基台縦棒１２は円柱状で途中には底着き防止用の円形状ストッパー１５を備え、横棒１３に貫設させボルト１４により繋止され、横棒１３は中空角パイプ状で図４底面図のように中空内にスティブルナット１６、１７、１８、１９を埋設できるよう図５のように角パイプ上面、底面に開口部２０、２１、２２、２３、２４、２５、２６、２７を夫々設ける。その角パイプの奥行きkは使用する発泡ボードの厚みか、もしくは少し広いものが適する。
【００１３】
前記略方形板材２a、２bは、T字状横棒１３長手側面を貫通させるボルト３、４、５、６により連結させるが、一方の板材２aは、角パイプ中空内に埋設されたスティブルナット１６、１７、１８、１９により支持基台横棒１３に固定される。これは対向する板材２bを締め付ける蝶ナット２２を回す際ボルトが共回りしないようにするためである。図６は側面斜視図と部分拡大図で、拡大図２bは小なったとが緩んだ状態の板材２bで、塗りつぶされた箇所２bbは蝶ボルトを締め込んだ後、支持基台横棒長手側面に圧着された２bを示すように、該板材２bはボルト軸上mの間を可動するよう遊嵌させる。遊嵌させるためにボルトは長めのものを使用し、端部にはワッシャー２０、バネ座がね２１、締め付け用蝶ナット２２、袋ナット緩み止めダブルロック用ナット２３、ボルト端部によるキズ防止用袋ナット２４を備える。
【００１４】
上記機構により、発泡ボード挿入時は挿入口を広げスムーズにし、挿入後は蝶ナットを締め挟持部を発泡ボードに圧着させていく。これにより図７が全体図と丸で囲まれた狭窄部分の拡大図で、拡大図斜線部は発泡ボードを示し、波線は一部省略を示し、３０で示した点線で象った挟持部材は発泡ボード挿入前、塗りつぶして象った３１発泡ボード挿入後を示し、発泡ボード内のランダムな方向線２８は挟持部hを作用点として圧縮された発泡ボードが元の形に戻ろうとする弾性エネルギーを、矢印２９は発泡ボードにより押し広げられた挟持部が元の形に戻ろうとする弾性エネルギーを夫々概略的に示すように、蝶ボルトの締め込みにより狭窄部h-h間で発泡ボードが圧縮され、逆に挟持部材はhを作用点として開口部が外に押し広げられる形となり、発泡ボード、挟持部材共に元の形に戻ろうとする弾性エネルギー２８、２９を発生させる。この相反するエネルギーにより発泡ボードを保持することができる。
【００１５】
従来の熊手状に比べ夫々の爪の剛性に依存していた弾性押し付け力成分から、一枚の金属板同士を蝶ナットにより強制的に押し付けあう形にしたため保持力が強く、これにより今まで粘着テープの補助が必要であった大きく重量のある発泡ボードも粘着テープ無しで保持できるようになり、粘着テープを貼る手間、粘着テープによる発泡ボードの貼り物及び発泡素材剥離という問題が解決される。
また、発泡ボードを外す際は引き抜くだけと簡単であり、再挿入も挿入誘導部、図３、jがあるため蝶ナットをわざわざ緩めることなく再び発泡ボードを押し込むだけで簡単に再保持することができる。
【実施例】
【００１６】
図８は斜線が発泡ボードを示すように、本考案ボード支持具で発泡ボードを挟み食品撮影時の反射板保持に使用している例。
【符号の説明】
【００１７】
１：支持基台縦棒
２a,２b：略方形板材
２bb:蝶ナット締め付け後の２b
３、４、５、６：ボルト
７、８、９、１０：ボルト貫通穴
１１：縦棒、横棒接合ボルト突き出し回避部
１２：縦棒
１３：横棒
１４：縦棒、横棒接合ボルト
１５：底付き防止ストッパー
１６〜１９：埋設スティブルナット
２０：ワッシャー
２１：スプリングワッシャー
２２：蝶ナット
２３：袋ナット緩み止めダブルロック用ナット
２４：袋ナット
２０〜２７：楕円欠成穴
２８：発泡ボード弾性エネルギー
２９：挟持部弾性エネルギー
３０：発泡ボード挿入前の挟持部
３１：発泡ボード挿入後の挟持部
c１、c２：基端部屈曲部位
d：c１、c２屈曲幅
f：挟持部先端が挟持部基端部より外側にあることを示す
g：側面中心線
h：狭窄部区間
j：挿入誘導部
m：２b可動幅
【図１】
0003181153.tif 000003
【図２】
0003181153.tif 000004
【図３】
0003181153.tif 000005
【図４】
0003181153.tif 000006
【図５】
0003181153.tif 000007
【図６】
0003181153.tif 000008
【図７】
0003181153.tif 000009
【図８】
0003181153.tif 000010
【手続補正書】
【提出日】平成24年11月13日(2012.11.13)
【手続補正１】
【補正対象書類名】実用新案登録請求の範囲
【補正対象項目名】全文
【補正方法】変更
【補正の内容】
【実用新案登録請求の範囲】
【請求項１】
略T字状支持基台と２枚の略方形板材を備え、前記略T字状支持基台は、横棒と縦棒から構成され前記横棒に前記縦棒を接合し、前記横棒長手側面に前記２枚の略方形板材の端部を夫々連結させ、前記２枚の略方形板材で挟まれる空間をボード支持具の挟持部とするボード支持具。
【請求項２】
一方の略方形板材は支持基台に固定され、もう一方は可動可能で、この可動する板材はナットを用い固定することができる請求項１記載のボード支持具。
【請求項３】
略方形板材で挟まれる空間が前記挟持部基端部から先端に向かい狭くなっている請求項１記載のボード支持具。
【請求項４】
前記略方形板材の途中に屈曲部を有し、前記基端部に対向する端部が外側に開いている請求項１記載のボード支持具。
【請求項５】
略T字状支持基台縦棒途中に底付き防止ストッパーを有する請求項１記載のボード支持具。